【手続補正書】
【提出日】平成20年5月9日(2008.5.9)
【手続補正１】
【補正対象書類名】明細書
【補正対象項目名】特許請求の範囲
【補正方法】変更
【補正の内容】
【特許請求の範囲】
【請求項１】
複数のディスクリート・オーディオ・チャネルと、所定のマルチチャネル・オーディオ・フォーマットのＭ個のディスクリート・サラウンドサウンド・オーディオ・チャネルとを記録した、機械読取可能な記録媒体であって、前記Ｍ個のディスクリート・サラウンドサウンド・オーディオ・チャネルは、Ｎ個（Ｎ≧Ｍ）のサラウンドサウンド・オーディオ信号の混合したものを運ぶものであり、かつ、前記Ｎ個のサラウンドサウンド・オーディオ信号の少なくとも１つを運ぶ少なくとも１つのディスクリート拡張サラウンドサウンド・チャネルを記録した記録媒体。
【請求項２】
請求項１に記載の記録媒体であって、前記ディスクリート拡張サラウンドサウンド・チャネルが、前記所定のマルチチャネル・オーディオ・フォーマットに付加された拡張ビットとして前記記録媒体に記録される、記録媒体。
【請求項３】
請求項２に記載の記録媒体であって、前記記録媒体は、前記所定のマルチチャネル・オーディオ・フォーマットで記録された媒体を読み取るように構成されたオーディオ・デコーダの既存のベースでの再生、ならびに、前記所定のマルチチャネル・オーディオ・フォーマットと前記ディスクリート拡張サラウンドサウンド・チャネルとで記録された媒体を読み取るように構成されたオーディオ・コーダでの再生のために、互換性がある、記録媒体。
【請求項４】
請求項２に記載の記録媒体であって、前記Ｍ個のディスクリート・サラウンドサウンド・オーディオ・チャネルと、少なくとも１つのディスクリート拡張サラウンドサウンド・チャネルとは、デジタル・ビットストリームを形成するオーディオ・フレームのシーケンスとして前記記録媒体に記録されるものであり、それぞれの前記オーディオ・フレームが、同期ワードと、前記ディスクリート・サラウンドサウンド・オーディオ・チャネルを表す所定のマルチフォーマット・オーディオ・フォーマットのオーディオ・データと、前記ディスクリート拡張サラウンドサウンド・チャネルを表す前記マルチチャネル・オーディオ・フォーマットに付加されるオーディオ・データとを含む、記録媒体。
【請求項５】
請求項４に記載の記録媒体であって、前記オーディオ・フレームのサイズが、前記ディスクリート拡張サラウンドサウンド・チャネルを収容するように、フレームごとに変動することができる、記録媒体。
【請求項６】
請求項１に記載の記録媒体であって、ＭがＮと等しい、記録媒体。
【請求項７】
請求項１に記載の記録媒体であって、ＮがＭより大きい、記録媒体。
【請求項８】
請求項７に記載の記録媒体であって、前記記録媒体に、ＮからＭを引いた数のディスクリート拡張サラウンドサウンド・チャネルが記録され、そのチャネルのそれぞれが前記Ｎ個のサラウンドサウンド・オーディオ信号の異なる１つを運ぶ、記録媒体。
【請求項９】
請求項８に記載の記録媒体であって、前記Ｍが２である個数のディスクリート・サラウンドサウンド・オーディオ・チャネルがあり、前記複数のディスクリート・オーディオ・チャネルが、それぞれのディスクリート・フロント・オーディオ信号を運ぶ３つのディスクリート・フロント・チャネルと、サブウーファ信号を運ぶサブ・チャネルとを含み、前記３つのフロント・チャネルと、２つのサラウンドサウンド・チャネルと、サブ・チャネルとが、５．１オーディオ・フォーマットで前記記録媒体に記録され、前記ディスクリート拡張サラウンドサウンド・チャネルが、前記５．１オーディオ・フォーマットに付加される拡張ビットとして記録される、記録媒体。
【請求項１０】
請求項８に記載の記録媒体であって、前記記録媒体に、Ｎから２を引いた個数のディスクリート拡張サラウンドサウンド・チャネルが記録され、そのチャネルのそれぞれが、Ｎ個のオーディオ信号の異なる１つを運ぶ、記録媒体。
【請求項１１】
請求項９に記載の記録媒体であって、前記Ｎ個のサラウンドサウンド・オーディオ信号が、左サラウンド信号と、右サラウンド信号と、中央サラウンド信号とを備える、記録媒体。
【請求項１２】
請求項９に記載の記録媒体であって、前記ディスクリート・オーディオ・チャネルが、デジタル・フォーマットで前記記録媒体に携えられる、記録媒体。
【請求項１３】
請求項１２に記載の記録媒体であって、前記記録媒体が、デジタル情報を表す光学的に記録された記号を有するフィルムであり、前記デジタル情報が前記ディスクリート・オーディオ・チャネルを表す、記録媒体。
【請求項１４】
請求項１２に記載の記録媒体であって前記記録媒体が、デジタル情報を表すディスク表面に刻まれたピットを有する光ディスクであり、前記デジタル情報が前記ディスクリート・オーディオ・チャネルを表す、記録媒体。
【請求項１５】
請求項１４に記載の記録媒体であって、前記記録媒体が、デジタル・ビデオ・ディスク（ＤＶＤ）である、記録媒体。
【請求項１６】
請求項１に記載の記録媒体であって、前記記録媒体に、Ｎ個のディスクリート拡張サラウンドサウンド・チャネルが記録され、そのＮからＭを引いた個数のチャネルが、ディスクリート・サラウンドサウンド・オーディオ信号を運び、残りのＭ個のチャネルが、差オーディオ信号を運ぶ、記録媒体。
【請求項１７】
Ｎ個の混合されたオーディオ信号を運ぶＭ個のディスクリート・オーディオ・チャネルと、前記Ｎ個のオーディオ信号の少なくとも１つを運ぶ少なくとも１つのディスクリート拡張チャネルとを記録した、機械読取可能な記録媒体であって、Ｎ個のディスクリート拡張チャネルが記録され、そのＮからＭを引いた個数のチャネルが、ディスクリート・オーディオ信号を運び、残りのＭ個のチャネルが、差オーディオ信号を運ぶものであり、前記Ｍ個の差オーディオ信号は、Ｍ個のチャネルのオーディオの混合と、Ｎ個のチャネルのオーディオの混合における対応するＭ個のチャネルとの間の、重み付けした差を表すものである、記録媒体。
【請求項１８】
製造物であって、
ポータブルの機械読取り可能記憶媒体と、
Ｎ＞ＭであるＭ個のディスクリート・オーディオ・チャネル上に混合されたＮ個のオーディオ信号を含むマルチチャネル・オーディオ信号を表すデジタル・ビットストリームであって、前記Ｎ個のオーディオ信号の少なくとも１つが少なくとも１つのディスクリート拡張チャネル上で運ばれるものであり、前記ディスクリート・オーディオ・チャネルと前記ディスクリート拡張チャネルとが、オーディオ・フレームのシーケンスとして、前記ポータブルの機械読取り可能記憶媒体に記録されるものである、デジタル・ビットストリームと
を備え、
それぞれの前記オーディオ・フレームが、
前記ディスクリート・オーディオ・チャネルを表す所定のマルチチャネル・オーディオ・フォーマットのオーディオ・データと、
前記ディスクリート拡張チャネルを表す前記マルチチャネル・オーディオ・フォーマットに付加されたオーディオ・データと
を備える、
製造物。
【請求項１９】
請求項１９に記載の製造物であって、前記オーディオ・フレームのサイズが、前記ディスクリート拡張チャネルを収容するようにフレームごとに変化することができる、製造物。
【請求項２０】
請求項１８に記載の製造物であって、前記ディスクリート・オーディオ・チャネルが、デジタル・フォーマットで前記記録媒体に携えられ、前記記録媒体が、デジタル情報を表すディスク表面に刻まれたピットを有する光ディスクであり、前記デジタル情報が前記ディスクリート・オーディオ・チャネルを表す、製造物。
【請求項２１】
機械読取可能な記録媒体であって、Ｎ個の混合されたオーディオ信号を運ぶＭ個のディスクリート・オーディオ・チャネルと、前記オーディオ信号の１つを運ぶディスクリート拡張サラウンドサウンド・チャネルとでエンコードされたマルチチャネル・オーディオ信号を記録する記録媒体。
【請求項２２】
請求項２１に記載の記録媒体であって、前記Ｍ個のディスクリート・オーディオ・チャネルが、所定のマルチチャネル・オーディオ・フォーマットでエンコードされ、前記ディスクリート拡張チャネルがエンコードされて前記所定のマルチチャネル・オーディオ・フォーマットに付加される、記録媒体。
【請求項２３】
請求項２２に記載の記録媒体であって、前記信号が、ＮからＭを引いた個数のディスクリート拡張チャネルで符号化されるものであり、そのチャネルのそれぞれが前記Ｎ個のオーディオ信号の異なる１つを運ぶものである、記録媒体。
【請求項２４】
請求項２１に記載の記録媒体であって、前記信号が、前記Ｍ個のディスクリート・オーディオ・チャネルと前記ディスクリート拡張チャネルとでエンコードされたキャリア信号を備える、記録媒体。
【請求項２５】
請求項２４に記載の記録媒体であって、前記信号が、Ｎ個のディスクリート拡張チャネルでエンコードされるものであり、そのＮからＭを引いた個数のチャネルがディスクリート・オーディオ信号を運び、残りのＭ個のチャネルが差オーディオ信号を運ぶものである、記録媒体。
【請求項２６】
請求項２５に記載の記録媒体であって、前記Ｍ個の前記差オーディオ信号が、Ｍ個のチャネルのオーディオの混合と、Ｎ個のチャネルのオーディオの混合における対応するＭ個のチャネルとの間の、重み付けした差を表す、記録媒体。
【請求項２７】
拡張されたマルチチャネル・オーディオ・フォーマットで、マルチチャネル・オーディオを、所定のマルチチャネル・オーディオ・フォーマットで記録された媒体を読み取るように構成されたオーディオ・デコーダの既存のベースによって再生するように、または、前記拡張されたマルチチャネル・オーディオ・フォーマットで記録された媒体を読み取るように構成されたオーディオ・デコーダのベースによって再生するように、機械読取可能な記録媒体に記録する方法であって、
複数のオーディオ信号およびＮ個のサラウンドサウンド・オーディオ信号に対するサウンド情報を混合するステップと、
前記Ｎ個のサラウンドサウンド・オーディオ信号を、ＭがＮ未満であるＭ個の混合サラウンドサウンド・オーディオ信号へと混合するステップと、
前記記録媒体上に、前記所定のマルチチャネル・オーディオ・フォーマットで、ディスクリート・サラウンドサウンド・オーディオ・チャネルに、前記Ｍ個の混合サラウンドサウンド・オーディオ信号および前記複数のオーディオ信号を記録するステップと、
個々のディスクリート拡張サラウンドサウンド・オーディオ・チャネルの前記Ｎ個のサラウンドサウンド・オーディオ信号の少なくとも１つを、前記所定のマルチチャネル・オーディオ・フォーマットへ付加される拡張ビットとして前記記録媒体に記録するステップであって、前記マルチチャネル・オーディオ・フォーマットと前記拡張ビットとが共になり、前記拡張されたマルチチャネル・オーディオ・フォーマットを構成するものである、ステップと、
を備える方法。
【請求項２８】
請求項２７に記載の方法であって、前記ディスクリート・サラウンドサウンド・オーディオ・チャネルとディスクリート拡張サラウンドサウンド・チャネルとが、オーディオ・フレームのシーケンスとして前記記録媒体に記録されるものであり、前記ディスクリート拡張サラウンドサウンド・チャネルを収容するように、前記オーディオ・フレームのサイズをフレーム毎に変更するステップを更に備える方法。
【請求項２９】
請求項２７に記載の方法であって、ＮからＭを引いた個数の前記サラウンドサウンド・オーディオ信号が、それぞれのディスクリート拡張サラウンドサウンド・オーディオ・チャネルに記録される、方法。
【請求項３０】
請求項２７に記載の方法であって、前記サラウンドサウンド・オーディオ信号が、左と、右と、中央とのサラウンドサウンド信号を備えるものであり、３つのフロント・オーディオ信号とサブ・オーディオ信号とに対するサウンド情報を更に備え、それらは混合されて、５．１チャネル・オーディオ・フォーマットで、Ｍ＝２である２つのディスクリート・サラウンドサウンド・オーディオ・チャネルで記録される、方法。
【請求項３１】
請求項２７に記載の方法であって、Ｎ個とＭ個の前記サラウンドサウンド・オーディオ信号が、それぞれＮチャネル混合とＭチャネル混合とを表すものであり、
前記Ｍチャネル混合と、前記Ｎチャネル混合における対応するＭ個のディスクリート・オーディオ信号との間の、重み付けした差信号を計算するステップと、
前記重み付けした差信号をそれぞれのディスクリート拡張チャネルに記録するステップと
を更に備える方法。
【請求項３２】
マルチチャネル・オーディオを再生する方法であって、
記録されたビットストリームを有する、機械読取可能な記録媒体を受け取るステップであって、前記ビットストリームが、所定のマルチチャネル・オーディオ・フォーマットでＮ＞ＭであるＮ個のサラウンドサウンド・オーディオ信号の混合したものを運ぶＭ個のディスクリート・サラウンドサウンド・オーディオ・チャネルと、少なくとも１つのディスクリート拡張サラウンドサウンド・チャネルとを含むものであり、各ディスクリート拡張サラウンドサウンド・チャネルが、前記所定のマルチチャネル・オーディオ・フォーマットに付加された拡張ビットとして前記Ｎ個のサラウンドサウンド・オーディオ信号の１つを運ぶものである、ステップと、
前記所定のマルチチャネル・オーディオ・フォーマットのビットを読み取り、前記拡張ビットは無視するステップと、
前記Ｍ個のディスクリート・サラウンドサウンド・オーディオ・チャネルを再生するために、前記所定のマルチチャネル・オーディオ・フォーマットのビットをデコードするステップと、
前記Ｍ個のディスクリート・サラウンドサウンド・オーディオ・チャネルを、それぞれのディスクリート・スピーカ・チャネルに適用して、Ｍ個のディスクリート・サラウンドサウンド・オーディオ信号と少なくとも１つのファントム・サラウンドサウンド・オーディオ信号とを再生するステップと
を備える方法。
【請求項３３】
請求項３２に記載の方法であって、前記Ｍ個のディスクリート・サラウンドサウンド・オーディオ・チャネルが、左と右とのサラウンドサウンド・チャネルであり、前記Ｎ個のサラウンドサウンド・オーディオ信号が、左と右と中央とのサラウンドサウンド信号を備え、前記中央のサラウンドサウンド信号を運ぶ前記ディスクリート拡張サラウンドサウンド・チャネルは、読み取り中は無視されるが、ファントム中央サラウンド信号として再生される、方法。
【請求項３４】
請求項３２に記載の方法であって、前記ディスクリート・サラウンドサウンド・オーディオ・チャネルとディスクリート拡張サラウンドサウンド・チャネルとが、一度に１フレーム読み取られるオーディオ・フレームのシーケンスとして、前記記録媒体に記録され、前記記録媒体に記録される前記オーディオ・フレームのサイズが、前記ディスクリート拡張サラウンドサウンド・チャネルを収容するようにフレームごとに変化する、方法。
【請求項３５】
マルチチャネル・オーディオを再生する方法であって、
記録されたビットストリームを有する、機械読取可能な記録媒体を受け取るステップであって、前記ビットストリームが、所定のマルチチャネル・オーディオ・フォーマットでＮ＞ＭであるＮ個の混合されたオーディオ信号を運ぶＭ個のディスクリート・オーディオ・チャネルと、少なくとも１つのディスクリート拡張チャネルとを含むものであり、各ディスクリート拡張チャネルが、前記所定のマルチチャネル・オーディオ・フォーマットに付加された拡張ビットとして前記Ｎ個のオーディオ信号の１つを運ぶものである、ステップと、
前記所定のマルチチャネル・オーディオ・フォーマットのビットを読み取り、前記拡張ビットは無視するステップと、
前記所定のマルチチャネル・オーディオ・フォーマットのビットをデコードして、前記Ｍ個のディスクリート・オーディオ・チャネルを再生するステップと、
前記Ｍ個のディスクリート・オーディオ・チャネルをマトリックス・デコードして、Ｎ個のディスクリート・オーディオ・チャネルを提供するステップであって、前記Ｎ個のディスクリート・オーディオ・チャネルは、Ｎ個の混合された前記オーディオ信号のマトリックス・デコードされたオーディオ表現を運ぶものである、ステップと、
前記Ｎ個のディスクリート・オーディオ・チャネルを、それぞれのディスクリート・スピーカ・チャネルに適用して、マトリックス・デコーディングしたマルチチャネル・オーディオを再生するステップと
を備える方法。
【請求項３６】
請求項３５に記載の方法であって、前記Ｍ個のディスクリート・オーディオ・チャネルが、左と右とのサラウンドサウンド・チャネルであり、前記Ｎ個のディスクリート・オーディオ信号が、左と右と中央とのサラウンドサウンド信号を備え、前記中央のサラウンドサウンド信号を運ぶ前記ディスクリート拡張チャネルは、それが読取り中に無視されるので、マトリックス・デコーディングしたオーディオとして再生される、方法。
【請求項３７】
請求項３５に記載の方法であって、前記ディスクリート・オーディオ・チャネルとディスクリート拡張チャネルとが、一度に１フレーム読み取られるオーディオ・フレームのシーケンスとして前記記録媒体に記録され、前記記録媒体に記録される前記オーディオ・フレームのサイズは、前記ディスクリート拡張チャネルを収容するようにフレームごとに変化する、方法。
【請求項３８】
マルチチャネル・オーディオを再生する方法であって、
記録されたビットストリームを有する、機械読取可能な記録媒体を受け取るステップであって、前記ビットストリームが、所定のマルチチャネル・オーディオ・フォーマットでＮ＞ＭであるＮ個のサラウンドサウンド・オーディオ信号の混合したものを運ぶＭ個のディスクリート・サラウンドサウンド・オーディオ・チャネルと、少なくとも１つのディスクリート拡張サラウンドサウンド・チャネルとを含み、各ディスクリート拡張チャネルが、前記所定のマルチチャネル・オーディオ・フォーマットに付加される拡張ビットとして前記Ｎ個のサラウンドサウンド・オーディオ信号の１つを運ぶものである、ステップと、
所定のマルチチャネル・オーディオ・フォーマットのビットを読み取るステップと、
前記所定のマルチチャネル・オーディオ・フォーマットのビットをデコードして前記Ｍ個のディスクリート・サラウンドサウンド・オーディオ・チャネルを再生するステップと、
拡張ビットを読み取るステップと、
前記拡張ビットをデコードして、少なくとも１つのディスクリート拡張サラウンドサウンド・チャネルを提供するステップと、
前記拡張サラウンドサウンド・チャネルを使用して前記Ｍ個のディスクリート・サラウンドサウンド・オーディオ・チャネルを混合デコーディングして、それぞれがディスクリート・サラウンドサウンド・オーディオ信号の１つを運ぶＭ個のディスクリート・サラウンドサウンド・オーディオ・チャネルを提供するステップと、
前記Ｍ個のディスクリート・サラウンドサウンド・オーディオ・チャネルと前記少なくとも１つの拡張サラウンドサウンド・チャネルとを、それぞれのディスクリート・スピーカ・チャネルに適用して、前記Ｎ個のディスクリート・サラウンドサウンド・オーディオ信号を再生するステップと
を備える方法。
【請求項３９】
請求項３８に記載の方法であって、前記Ｍ個のディスクリート・サラウンドサウンド・オーディオ・チャネルが、左と右とのサラウンドサウンド・チャネルであり、前記Ｎ個のディスクリート・サラウンドサウンド・オーディオ信号が、左と右と中央とのサラウンドサウンド信号を備え、前記ディスクリート拡張サラウンドサウンド・チャネルが、読み取られてディスクリート中央サラウンドサウンド信号として再生される前記中央のサラウンドサウンド信号を運ぶ、方法。
【請求項４０】
請求項３８に記載の方法であって、前記ディスクリート・サラウンドサウンド・オーディオ・チャネルとディスクリート拡張サラウンドサウンド・チャネルとが、一度に１フレーム読み取られるオーディオ・フレームのシーケンスとして前記記録媒体に記録され、前記記録媒体に記録される前記オーディオ・フレームのサイズは、前記ディスクリート拡張サラウンドサウンド・チャネルを収容するようにフレームごとに変化する、方法。
【請求項４１】
請求項３８に記載の方法であって、ＮからＭを引いた個数のディスクリート拡張サラウンドサウンド・チャネルがデコードされる、方法。
【請求項４２】
記録されたビットストリームを有する、機械読取可能な記録媒体からサラウンドサウンド・オーディオを再生する装置であって、前記ビットストリームが、所定のマルチチャネル・オーディオ・フォーマットのＮ個のサラウンドサウンド・オーディオ信号の混合したものを運ぶＭ個のディスクリート・サラウンドサウンド・オーディオ・チャネルと、少なくとも１つのディスクリート拡張サラウンドサウンド・チャネルとを含み、各ディスクリート拡張サラウンドサウンド・チャネルが、前記所定のマルチチャネル・オーディオ・フォーマットに付加された拡張ビット（１２０）として前記サラウンドサウンド・オーディオ信号の１つを運ぶものである、装置において、
前記所定のマルチチャネル・オーディオ・フォーマットの前記ビットを読み取り、前記拡張ビットを無視し、前記ビットをデコードして前記Ｍ個のディスクリート・サラウンドサウンド・オーディオ・チャネルを再生するマルチチャネル・オーディオ・デコーダと、
前記Ｍ個のディスクリート・サラウンドサウンド・オーディオ・チャネルを受け取って前記拡張ビットを読み取り、前記拡張ビットをデコードして少なくとも１つのディスクリート拡張サラウンドサウンド・チャネルを再生し、前記拡張サラウンドサウンド・チャネルを使用して、前記Ｍ個のディスクリート・サラウンドサウンド・チャネル上で運ばれる前記Ｎ個のサラウンドサウンド・オーディオ信号を分離して、前記Ｍ個のディスクリート・サラウンドサウンド・オーディオ・チャネル上で運ばれるＭ個のディスクリート・サラウンドサウンド・オーディオ信号を提供し、前記Ｍ個のディスクリート・サラウンドサウンド・オーディオ・チャネルと少なくとも１つのディスクリート拡張サラウンドサウンドチャネルとを、それぞれのディスクリート・スピーカ・チャネルに適用して、前記Ｎ個のディスクリート・サラウンドサウンド・オーディオ信号を再生する、混合デコーダと
を備える装置。
【請求項４３】
請求項４２に記載の装置であって、前記Ｍ個のディスクリート・サラウンドサウンド・オーディオ・チャネルが、混合された左と右と中央とのサラウンドサウンド信号を運ぶ左と右とのサラウンドサウンド・チャネルであり、前記ディスクリート拡張サラウンドサウンド・チャネルが、前記混合デコーダが読み取ってディスクリート中央サラウンドサウンド信号として再生する前記中央のサラウンドサウンド信号を運ぶ、装置。
【請求項４４】
請求項４３に記載の装置であって、前記記録媒体に記録されたビットストリームが、それぞれのディスクリート・フロント・オーディオ信号を運ぶ３つのディスクリート・フロント・チャネルと、サブウーファ信号を運ぶサブ・チャネルとを有し、３つの前記フロント・チャネルと、Ｍ＝２である２つの前記ディスクリート・サラウンドサウンド・オーディオ・チャネルと、前記サブ・チャネルとが、５．１オーディオ・フォーマットで記録媒体に記録され、前記マルチチャネル・オーディオ・デコーダが５．１チャネル・デコーダを備える、装置。
【請求項４５】
請求項４２に記載の装置であって、前記ディスクリート・サラウンドサウンド・オーディオ・チャネルと前記ディスクリート拡張サラウンドサウンド・チャネルとが、ビットストリームのオーディオ・フレームのシーケンスとして前記記録媒体に記録され、前記記録媒体に記録される前記オーディオ・フレームのサイズが、前記ディスクリート拡張チャネルを収容するようにフレームごとに変化するものであり、前記マルチチャネル・オーディオ・デコーダと前記混合デコーダとが、前記フレームのサイズに従って一度に１フレームずつ前記シーケンスを読み取る、装置。
【請求項４６】
機械読取可能な記録媒体であって、Ｎ個の混合されたオーディオ信号を運ぶＭ個のディスクリート・オーディオ・チャンネルと、前記Ｎ個のオーディオ信号の少なくとも１つを運ぶ少なくとも１つのディスクリート拡張チャネルとを、デジタル・ビットストリームを形成するオーディオ・フレームのシーケンスとして担持するものであり、前記オーディオ・フレームのサイズが、前記ディスクリート拡張チャネルを収容するようにフレームごとに変化するものである、記録媒体。
【請求項４７】
請求項４６に記載の記録媒体であって、それぞれの前記オーディオ・フレームが、同期ワードと、前記ディスクリート・オーディオ・チャネルを表す所定のマルチフォーマット・オーディオ・フォーマットのオーディオ・データと、前記ディスクリート拡張チャネルを表す前記マルチチャネル・オーディオ・フォーマットに付加されるオーディオ・データとを含む、記録媒体。
【請求項４８】
請求項４６に記載の記録媒体であって、前記ディスクリート拡張チャネルがディスクリート拡張サラウンドサウンド・チャネルである、記録媒体。